(57)【特許請求の範囲】
【請求項１】
地下に構築物を埋設し、当該構築物を貯留空間とし前記貯留空間をシートで覆った雨水等の流出抑制施設において、前記構築物を以下の構成により構築した雨水等の流出抑制施設。
盤体部の表面に突出する四本の柱部Ａの形成する隙間が梁形成用部材Ｃを挟むよう互いに直交して配列して設けられ、裏面に梁形成用部材Ｃを挟む溝部Ａが直交する方向に設けられ、かつ盤体を表面から裏面に貫通する貫通孔Ａが設けられた柱形成用部材Ａと、
盤体状で表面には梁形成用部材Ｃを挟む溝部Ｂが直交する方向に設けられ、かつ盤体を表面から裏面に貫通する貫通孔Ｂが設けられ、裏面には柱形成用部材Ａの柱部Ａの頂部が係合する凹部Ｂが設けられた柱形成用部材Ｂと、
両端に上記貫通孔Ａおよび貫通孔Ｂに係合する係合部Ｃが設けられ、当該係合部に続く圧狭部Ｃは上記溝部Ａおよび溝部Ｂに挟み込まれ、中央部は柱間をつなぐ梁部Ｃとなる梁部形成用部材Ｃと、
上に突のＵ字状で、両端上部には前記柱形成用部材Ａの柱部Ａが貫入する孔部Ｄが設けられた壁および天井形成用部材Ｄとからなり、構築物の周囲壁部は柱形成用部材Ａの横方向に壁および天井形成用部材Ｄを係合し、柱形成用部材Ａの縦方向に柱形成用部材Ｂを係合することを繰り返し、構築物の内部の柱および梁は柱形成用部材Ａの横方向に梁形成用部材Ｃを係合し、柱形成用部材Ａの縦方向に柱形成用部材Ｂを係合することを繰り返し、天井部は壁および天井形成用部材Ｄを最上部の梁形成部材Ｃと壁および天井形成用部材Ｄの間に壁および天井形成用部材Ｄを渡すことで構築する。
【発明の詳細な説明】
【技術分野】
【０００１】
本発明は、雨水の流出抑制施設の構築に利用される部材とそれを用いた雨水流出抑制技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
それらの単位部材に変わる新しい単位部材の提案にある。
【先行技術文献】
【特許文献】
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の概要】
【発明が解決しようとする課題】
【０００４】
本発明は、雨水の流出抑制施設の形成に使用される新規の単位部材の提案にある。
【課題を解決するための手段】
【０００５】
本発明は、地下に構築物を埋設し、当該構築物を貯留空間とし前記貯留空間をシートで覆った雨水等の流出抑制施設において、前記構築物を以下の構成により構築した雨水等の流出抑制施設。
盤体部の表面に突出する四本の柱部Ａの形成する隙間が梁形成用部材Ｃを挟むよう互いに直交して配列して設けられ、裏面に梁形成用部材Ｃを挟む溝部Ａが直交する方向に設けられ、かつ盤体を表面から裏面に貫通する貫通孔Ａが設けられた柱形成用部材Ａと、
盤体状で表面には梁形成用部材Ｃを挟む溝部Ｂが直交する方向に設けられ、かつ盤体を表面から裏面に貫通する貫通孔Ｂが設けられ、裏面には柱形成用部材Ａの柱部Ａの頂部が係合する凹部Ｂが設けられた柱形成用部材Ｂと、
両端に上記貫通孔Ａおよび貫通孔Ｂに係合する係合部Ｃが設けられ、当該係合部に続く圧狭部Ｃは上記溝部Ａおよび溝部Ｂに挟み込まれ、中央部は柱間をつなぐ梁部Ｃとなる梁部形成用部材Ｃと、
上に突のＵ字状で、両端上部には前記柱形成用部材Ａの柱部Ａが貫入する孔部Ｄが設けられた壁および天井形成用部材Ｄとからなり、構築物の周囲壁部は柱形成用部材Ａの横方向に壁および天井形成用部材Ｄを係合し、柱形成用部材Ａの縦方向に柱形成用部材Ｂを係合することを繰り返し、構築物の内部の柱および梁は柱形成用部材Ａの横方向に梁形成用部材Ｃを係合し、柱形成用部材Ａの縦方向に柱形成用部材Ｂを係合することを繰り返し、天井部は壁および天井形成用部材Ｄを最上部の梁形成部材Ｃと壁および天井形成用部材Ｄの間に壁および天井形成用部材Ｄを渡すことで構築する。
【発明の効果】
【０００６】
本発明は、柱形成用部材Ａ、Ｂと梁形成部材Ｃと壁および天井部材Ｄの4つの部材を組合せることで、貯留空間を形成する構築物が形成できる。
柱形成用部材ＡとＢとの間に梁形成部材Ｃを上下および横方向から挟み固定し、梁形成部材Ｃの上下および横方向の動きを制限する。そのため構築物の強度が上がる。
【図面の簡単な説明】
【０００７】
【図１】は、柱形成用部材Ａを示す概念図である。
【図２】は、柱形成用部材Ｂを示す概念図である。
【図３】は、梁形成用部材Ｃを示す概念図である。
【図４】は、壁および天井部材Ｄを示す概念図である。
【図５】は、部材Ａ、Ｂ、Ｃ、Ｄを組合わせた貯留空間を示す構築物の概念図である。
【図６】は、構築物の形成手段を示す手順を示す。
【図７】は、構築物を雨水の流出抑制施設として使用する概念図である。
【発明を実施するための形態】
【０００８】
以下本発明を、図を用いて、より詳細に説明する。本発明を構成する柱形成用部材Ａ、Ｂ、梁部形成用部材Ｃ、壁および天井部形成用部材Ｄは以後それぞれ部材Ａ、Ｂ、Ｃ、Ｄと称する。
本発明を構成する部材Ａを図1に示す。図１ａは、部材Ａを上から見た斜視図および平面図、断面図である。図１ｂは、部材Ａを下から見た斜視図および平面図、断面図である。図に示すように、盤体部の表面に突出する４本の柱部Ａが柱部間の隙間がＸ、Ｙ方向に向くよう配列して設けられている。裏面に部材Cを挟み上下および水平に固定するための溝部Ａが盤体部の中心にＸ、Ｙ方向に端部から端部に向け設けられている。かつ盤体を表面から裏面に貫通する貫通孔Ａが溝部Ａに設けられている。貫通孔Ａは、後述する部材Ｃを挟みかつ部材Ｃ間で互いに干渉しないよう柱部Ａの間に当たる溝部Ａに設けられている。
【０００９】
部材Ｂを図２に示す。図２ａは、部材Ｂを上から見た斜視図および平面図、断面図である。図２ｂは、部材Ｂを下から見た斜視図および平面図、断面図である。図に示すように、盤体状で表面には部材Ｃを挟む溝部Ｂが盤体部の中心にＸ、Ｙ方向に端部から端部に向け部材Ａの裏面に設けられた溝部Ａに対応する位置に設けられている。かつ盤体を表面から裏面に貫通する貫通孔Ｂが溝部Ｂに設けられている。貫通孔Ｂは部材ＡとＢとを張り合わせた時貫通するように設けられる。裏面には部材Ａの頂部が係合するための凹部Ｂが設けられている。
【００１０】
部材Ｃは、図３に示すように、両端に部材ＡとＢとに挟まれ貫通孔Ａ、貫通孔Ｂに係合される係合部Ｃと溝部Ａ、溝部Ｂとに挟まれる圧挟部Ｃとその間の梁部形成部Ｃから構成される。
係合部Ｃは両端が上下に突出しその突出部がそれぞれ部材ＡとＢとを重ねたときの貫通孔Ａ、Ｂに係合され、圧挟部Ｃは部材ＡとＢに設けられた溝部ＡとＢとに挟まれる用になっている。梁部形成部Ｃはその最上段で部材Ｄが配置する場所をも兼ねている。図３では表面は平坦とされているが、部材Ｄを構成する両側の壁の下縁部が係合する係合溝を設けておいてもよい。また必要な強度を確保し、リブを組合わせた格子状の部材としてもよい。
【００１１】
部材Ｄは、図４に示すように、上に突のＵ字状で、両端上部には前記柱部Ａの頂部が貫入する孔部Ｄが設けられる。
【００１２】
図５は、部材Ａ、Ｂ、Ｃ、Ｄを組合わせた貯留空間を示す構築物の平面、断面を示す概念図である。部材Ａ、Ｂが柱部を形成し、部材Ｃが柱部間を繋ぐ梁部を形成し、部材Ｄが貯留空間の縁部と天井部を壁材および天井材として覆っている。部材ＤをＵ字形状とすることで水平からの圧力に対する抗力を高めている。
【００１３】
図６は、上記構築物を部材Ａ、Ｂ、Ｃ、Ｄを用いて形成する手順の概略を示したものである。
（１）部材Ｂを並べその間に部材Ｃの両端にある係合部Ｃをそれぞれ部材Ｂの貫通孔Ｂに嵌め、圧挟部Ｃを溝部Ｂに嵌めるようにして乗せる。
（２）部材Ａを部材Ｂの上から重ね、部材Ｃの両端にある係合部Ｃをそれぞれ部材Ａの貫通孔Ａに嵌め、圧挟部Ｃを溝部Ａに嵌めるようにして乗せる。
（３）構築物の縁部に位置する柱部Ａの頂部を部材Ｄの孔部Ｄに通過させるようにして部材Ａの盤体上かつ部材Ｃ上に載せる。
（４）部材Ｂの凹部Ｂを、部材Ａの柱部Ａに嵌めるように重ねる。
（５）上記を上下左右方向に繰り返し貯留空間である構築物を形成する。
（６）構築物の天井部に部材Ｄを配置し天井部を覆う。
【００１４】
上記手順で構築物が形成されるため、部材Ａ、Ｂ、Ｃ、Ｄがコンクリート製の場合、地上に設けたコンクリート基盤上に形成し、内部にウレタン防水加工を施すことにより部材間の隙間を塞ぎ、水槽として使用することが可能となる。
【００１５】
図７は、上記構築物の周囲をシート類で覆い雨水等の流出抑制用に使用される貯留空間を構築し、必要に応じ泥だめます、オリフィスますを付した状態を示している。シートの選択は地下水のある場所では地下水の施設内への流入を防止するため遮水シートを用い、地下水のない状態では透水性のシートを使用することは従来の流出抑制用施設と同様である。
【００１６】
部材Ａ、Ｂ、Ｃ、Ｄの材質はコンクリート製、樹脂製など従来の流出抑制施設に使用される材質のものが使用できる。それぞれの部材はそれらの強度を考慮し、構築物内の水の流れを確保するため、適宜透孔を設けることができる。
【産業上の利用可能性】
【００１７】
雨水の流出抑制施設である貯留槽、浸透槽としてあるいは雨水の有効利用を図る貯留槽として利用可能である。
【符号の説明】
【００１８】
１  柱形成用部材Ａ
１１  柱部Ａ
１２  溝部Ａ
１３  貫通孔Ａ
２  柱形成用部材Ｂ
２１  溝部Ｂ
２２  貫通孔Ｂ
２３  凹部Ｂ
３  梁部形成用部材Ｃ
３１  係合部Ｃ
３２  圧挟部Ｃ
３３  梁部Ｃ
４  壁部および天井部形成用部材Ｄ
４１  孔部Ｄ
【図１】
0005700742.tif 000002
【図２】
0005700742.tif 000003
【図３】
0005700742.tif 000004
【図４】
0005700742.tif 000005
【図５】
0005700742.tif 000006
【図６】
0005700742.tif 000007
【図７】
0005700742.tif 000008